(57)【要約】【課題】良好な表示特性が得られる画像表示装置及びその駆動方法を提供する。【解決手段】表示電極、表示電極に対向する共通電極、表示電極と共通電極の間に配置され、異なる着色領域に異なる帯電極性を有する球状粒子が分散された表示媒体を有し、表示電極と共通電極の電位差で球状粒子を回転させて表示電極に対応する表示領域の表示を行う表示部と、表示領域の各々にパルスを印加して表示部の表示を書き換える制御部とを有し、表示部の表示を書き換える書き込み期間は第１乃至第３の書き込み期間から構成され、制御部は、一方の表示色を表示する表示領域に、第１の書き込み期間に第１のパルス、第２の期間に第１のパルスとは極性が異なる第２のパルスを印加し、他方の表示色を表示する表示領域に、第２の書き込み期間に第２のパルスと同一極性を有する第３のパルス、第３の期間に第１のパルスと同一極性を有する第４のパルスを印加する画像表示装置。【選択図】図６
2013231848.tif 000002
【特許請求の範囲】
【請求項１】
複数の表示電極と、前記複数の表示電極に対向する共通電極と、前記複数の表示電極と前記共通電極との間に配置されて、且つ異なる着色領域に異なる帯電極性を有する球状粒子が分散された表示媒体と、を有して、前記複数の表示電極と前記共通電極との電位差により前記球状粒子を回転させて前記複数の表示電極に対応する複数の表示領域の表示を行う表示部と、
前記複数の表示領域の各々に対応する前記表示電極と前記共通電極との間にパルスを印加して前記電位差を発生させて、前記表示部の表示を書き換える制御部と、
を具備し、
前記表示部の表示を書き換える書き込み期間は、それぞれ所定時間を有して連続する第１の書き込み期間、第２の書き込み期間及び第３の書き込み期間から構成され、
前記制御部は、
前記複数の表示領域における一方の表示色を表示する表示領域に対応する前記表示電極と前記共通電極との間に、前記第１の書き込み期間に第１のパルスを印加し、前記第２の期間に前記第１のパルスとは極性が異なる第２のパルスを印加し、
前記複数の表示領域における他方の表示色を表示する表示領域に対応する前記表示電極と前記共通電極との間に、前記第２の書き込み期間に前記第２のパルスと同一の極性を有する第３のパルスを印加し、前記第３の期間に前記第１のパルスと同一の極性を有する第４のパルスを印加することを特徴とする画像表示装置。
【請求項２】
前記第３の書き込み期間において、前記一方の表示色を表示する表示領域に対応する前記表示電極と前記共通電極との間の電位差は０となり、
前記第１の書き込み期間において、前記他方の表示色を表示する表示領域に対応する前記表示電極と前記共通電極との間の電位差は０となることを特徴とする請求項１に記載の画像表示装置。
【請求項３】
前記第２のパルス及び前記第４のパルスは、前記複数の表示領域の各々の表示領域の表示色を決定する極性を有していることを特徴とする請求項１又は請求項２に記載の画像表示装置。
【請求項４】
前記第２の書き込み期間では、前記複数の表示領域の表示色が同一となることを特徴とする請求項１乃至請求項３の何れか一項に記載の画像表示装置。
【請求項５】
前記書き込み期間を除く他の期間において、前記複数の表示領域に対応する前記複数の表示電極と前記共通電極とには電圧が印加されないことを特徴とする請求項１乃至請求項４の何れか一項に記載の画像表示装置。
【請求項６】
前記表示が一定時間ごとに表示が書き換えられる時計表示であることを特徴とする請求項１に記載の画像表示装置。
【請求項７】
前記一定時間ごとに前記複数の表示領域全ての表示色が反転することを特徴とする請求項６に記載の画像表示装置。
【請求項８】
複数の表示電極と、前記複数の表示電極に対向する共通電極と、前記複数の表示電極と前記共通電極との間に配置されて、且つ異なる着色領域に異なる帯電極性を有する球状粒子が分散された表示媒体と、を有して、前記複数の表示電極と前記共通電極との電位差により前記球状粒子を回転させて前記複数の表示電極に対応する複数の表示領域の表示を行う表示部と、
前記複数の表示領域の各々に対応する前記表示電極と前記共通電極との間にパルスを印加して前記電位差を発生させて、前記表示部の表示を書き換える制御部と、
を具備する画像表示装置の駆動方法であって、
それぞれ所定時間を有して連続する第１の書き込み期間、第２の書き込み期間及び第３の書き込み期間から構成され、前記表示部の表示を書き換える書き込み期間において、
前記複数の表示領域における一方の表示色を表示する表示領域に対応する前記表示電極と前記共通電極との間に、前記第１の書き込み期間に第１のパルスを印加し、前記第２の期間に前記第１のパルスとは極性が異なる第２のパルスを印加し、
前記複数の表示領域における他方の表示色を表示する表示領域に対応する前記表示電極と前記共通電極との間に、前記第２の書き込み期間に前記第２のパルスと同一の極性を有する前記第３のパルスを印加し、前記第３の期間に前記第１のパルスと同一の極性を有する前記第４のパルスを印加する、
ことを含む画像表示装置の駆動方法。
【請求項９】
前記第３の書き込み期間において、前記一方の表示色を表示する表示領域に対応する前記表示電極と前記共通電極との間の電位差を０とし、
前記第１の書き込み期間において、前記他方の表示色を表示する表示領域に対応する前記表示電極と前記共通電極との間の電位差を０とすることを特徴とする請求項８に記載の画像表示装置の駆動方法。
【請求項１０】
前記第２のパルス及び前記第４のパルスは、前記複数の表示領域の各々の表示領域の表示色を決定する極性を有していることを特徴とする請求項８又は請求項９に記載の画像表示装置の駆動方法。
【請求項１１】
前記書き込み期間を除く他の期間において、前記複数の表示領域に対応する前記複数の表示電極と前記共通電極とに電圧を印加しないことを特徴とする請求項８乃至請求項１０に記載の画像表示装置の駆動方法。
【請求項１２】
一定時間ごとに前記複数の表示領域全ての表示色を反転させること、をさらに含む請求項８乃至請求項１１の何れか一つに記載の画像表示装置の駆動方法。
【発明の詳細な説明】
【技術分野】
【０００１】
本発明は、画像表示装置及びその駆動方法に関し、特に、異なる着色領域に異なる帯電極性を有する粒子が分散された表示媒体を用いて画像の表示を行う画像表示装置及びその駆動方法に関する。
【背景技術】
【０００２】
電子値札や棚札、デジタル時計などにおける数値や文字情報の表示、又は電子書籍などに用いられる電子ペーパーにおける数値や文字情報の表示を行う反射型の画像表示装置として、例えば、異なる着色領域に異なる帯電極性を有する２色相球状粒子（ツイストボール）を表示媒体として用いた画像表示装置がある。ツイストボールを用いた画像表示装置は、他の表示装置、特に液晶表示装置に比べて、視野角が広く、消費電力が小さいため、電子棚札やデジタルサイネージ、電子ペーパーなどの分野に広く採用されている。
【０００３】
一般的に、画像表示装置の表示媒体として用いられるツイストボールは、有色彩相／白色相（例えば、黒色／白色、赤色／白色など）或いは有色彩相／有色彩色相（例えば、黒色／赤色、青色／赤色など）の異なる少なくとも２色相に塗り分けられた少なくとも２つの着色領域を有し、その異なる２色相が互いに異なる帯電極性を有している。ツイストボールの互いに異なる帯電極性を有する２つの着色領域に対応した電圧を印加することによってツイストボールを回転させることで所望する画像の表示を行う。通常は、ツイストボールに電圧を印加する際に印加する電圧や電圧の印加時間を調節することによって、良好な表示を行うことができる（例えば、特許文献１、２参照）。
【先行技術文献】
【特許文献】
【０００４】
【特許文献１】特開２０１１−８２７１号公報
【特許文献２】特開２０１０−４９２７２号公報
【０００５】
しかしながら、ツイストボールを表示媒体として用いる画像表示装置を、双安定性（メモリー性）を利用して１分時計などの多画素の表示を多チャンネルのドライバICを用いて行う場合、直前の表示状態の履歴効果により、書き込み時における１回のパルスのみの印加では良好な表示書き換えができず、残像が生じるという問題がある。また、表示を保持する画素に対応する共通電極と表示電極との間にパルスを印加しない状態を保持した場合、メモリー性の経時変化により、１分程度の短時間でも表示色が変化してしまうという問題がある。これは、ツイストボールの着色領域が互いに異なる極性に帯電しているため、ツイストボールが双極子モーメントを有することに起因する。即ち、基板界面に蓄積された残留電荷との電気的な相互作用により当該双極子モーメントが回転し、同時にツイストボール自体も回転することから表示状態の保持性が弱くなるためである。ここで、「パルスの印加」とは「電位差を生じさせること」を意味するものとする。
【発明の概要】
【発明が解決しようとする課題】
【０００６】
本発明は、互いに異なる帯電極性を有する２つの着色領域を有するツイストボールを表示媒体として、良好な表示特性が得られる画像表示装置及びその駆動方法を提供することにある。
【課題を解決するための手段】
【０００７】
本発明の一実施形態における画像表示装置によると、複数の表示電極と、前記複数の表示電極に対向する共通電極と、前記複数の表示電極と前記共通電極との間に配置されて、且つ異なる着色領域に異なる帯電極性を有する球状粒子が分散された表示媒体と、を有して、前記複数の表示電極と前記共通電極との電位差により前記球状粒子を回転させて前記複数の表示電極に対応する複数の表示領域の表示を行う表示部と、前記複数の表示領域の各々に対応する前記表示電極と前記共通電極との間にパルスを印加して前記電位差を発生させて、前記表示部の表示を書き換える制御部と、を具備し、前記表示部の表示を書き換える書き込み期間は、それぞれ所定時間を有して連続する第１の書き込み期間、第２の書き込み期間及び第３の書き込み期間から構成され、前記制御部は、前記複数の表示領域における一方の表示色を表示する表示領域に対応する前記表示電極と前記共通電極との間に、前記第１の書き込み期間に第１のパルスを印加し、前記第２の期間に前記第１のパルスとは極性が異なる第２のパルスを印加し、前記複数の表示領域における他方の表示色を表示する表示領域に対応する前記表示電極と前記共通電極との間に、前記第２の書き込み期間に前記第２のパルスと同一の極性を有する第３のパルスを印加し、前記第３の期間に前記第１のパルスと同一の極性を有する第４のパルスを印加することを特徴とする。
【０００８】
本発明の一実施形態における画像表示装置の駆動方法によると、複数の表示電極と、前記複数の表示電極に対向する共通電極と、前記複数の表示電極と前記共通電極との間に配置されて、且つ異なる着色領域に異なる帯電極性を有する球状粒子が分散された表示媒体と、を有して、前記複数の表示電極と前記共通電極との電位差により前記球状粒子を回転させて前記複数の表示電極に対応する複数の表示領域の表示を行う表示部と、前記複数の表示領域の各々に対応する前記表示電極と前記共通電極との間にパルスを印加して前記電位差を発生させて、前記表示部の表示を書き換える制御部と、を具備する画像表示装置の駆動方法であって、それぞれ所定時間を有して連続する第１の書き込み期間、第２の書き込み期間及び第３の書き込み期間から構成され、前記表示部の表示を書き換える書き込み期間において、前記複数の表示領域における一方の表示色を表示する表示領域に対応する前記表示電極と前記共通電極との間に、前記第１の書き込み期間に第１のパルスを印加し、前記第２の期間に前記第１のパルスとは極性が異なる第２のパルスを印加し、前記複数の表示領域における他方の表示色を表示する表示領域に対応する前記表示電極と前記共通電極との間に、前記第２の書き込み期間に前記第２のパルスと同一の極性を有する前記第３のパルスを印加し、前記第３の期間に前記第１のパルスと同一の極性を有する前記第４のパルスを印加する、ことを含む。
【発明の効果】
【０００９】
本発明の画像表示装置及びその駆動方法によれば、画像の表示書き換え時の残像を抑制してメモリー性が向上した良好な表示特性を得ることができる。
【００１０】
また、本発明によれば、ツイストボールを用いる画像表示装置を用いるため、メモリー性を利用した画像表示が可能であり、表示書き換えが無い期間は、パルスの印加が不要となり、消費電力を抑制することができる。
【図面の簡単な説明】
【００１１】
【図１】本発明の一実施形態に係る画像表示装置の機能ブロック図である。
【図２】本発明の一実施形態に係る画像表示装置の表示部の分解斜視図である。
【図３】本発明の一実施形態に係る画像表示装置の表示部の部分断面図である。
【図４】（ａ）ツイストボールの回転を説明する図である。（ｂ）ツイストボールの回転を説明する図である。（ｃ）ツイストボールの回転を説明する図である。
【図５】ツイストボールを表示媒体とする画像表示装置をセグメント駆動型の１分時計として実装した場合の表示部の表示電極の一例の配置図である。
【図６】（ａ）本発明の画像表示装置の共通電極と表示電極との間に印加するパルスの波形の一例を示す図である。（ｂ）本発明の画像表示装置の共通電極と表示電極との間に印加するパルスの波形の一例を示す図である。
【図７】（ａ）本発明の画像表示装置の共通電極と表示電極との間に印加するパルスの波形の別の一例を示す図である。（ｂ）本発明の画像表示装置の共通電極と表示電極との間に印加するパルスの波形の別の一例を示す図である。
【図８】本発明の画像表示装置を１５セグメント駆動型の１分時計として実装した際の時計表示写真を示す図である。
【図９】図８に示した時計表示に対応する各画素の表示色を示す図である。
【発明を実施するための形態】
【００１２】
図１は、本発明の一実施形態に係る画像表示装置の機能ブロック図を示す。画像表示装置１００は、電圧発生回路１０１、電圧印加制御部１０２、電圧印加部１０３、及び表示部１０４を備えている。
【００１３】
電圧発生回路１０１は、表示部１０４に印加する電圧を発生する。本発明の一実施形態においては、電圧発生回路１０１は、表示部１０４の後述する各電極に印加する電圧を生成する。例えば、０Ｖ及び２００Ｖ以下の任意の電圧を生成してもよい。ここで、２００Ｖ以下の任意の電圧は４０Ｖ〜１５０Ｖの電圧であってもよく、好ましくは１５０Ｖであってもよい。ただし、４０Ｖ〜１５０Ｖは例示であって、表示部１０４の特性に合わせた値とすることができる。
【００１４】
電圧印加制御部１０２は、電圧発生回路１０１により生成された電圧を表示部１０４の電極に印加する制御を行なう。すなわち、表示部１０４に所望の表示がされるように、表示部１０４の電極に印加する電圧を制御する。例えば、表示部１０４の各電極に印加する電圧を、電圧発生回路１０１により生成される電圧の中から選択する。電圧印加制御部１０２により選択された結果は、制御信号として電圧印加部１０３に供給される。
【００１５】
電圧印加部１０３は、電圧印加制御部１０２から供給された制御信号に従い電圧発生回路１０１により生成された電圧を表示部１０４の各電極に印加する。本発明の一実施形態において、電圧印加部１０３及び電圧発生回路１０１は、駆動ＩＣに含まれてもよい。
【００１６】
表示部１０４は、ツイストボールを含む材料に電圧を印加するための電極を有し、電極に印加された電圧によって、ツイストボールを回転させる。ツイストボールは、異なる着色領域に異なる帯電極性を有するので、ツイストボールの回転により、所望の画像表示が行なわれる。
【００１７】
図２は、表示部１０４の構造の一例の分解斜視図であり、図３は、表示部１０４の部分断面図である。図２に示すように、表示部１０１は、第１フィルム層２０２及び共通電極２０４を含む共通電極層２０１と、第２フィルム層２０６と、ツイストボール層２０８と、第３フィルム層２１２と、表示電極２１４及び絶縁層２１６を含む表示電極層２１３と、配線層２１８と、第４フィルム層２２０とを有しており、表示部１０４は複数の層構造となっている。図２及び図３において、同一又は類似の構成には同一の参照番号を付与する。尚、図３において、第１フィルム層２０２と、絶縁層２１６と、配線層２１８と、第４フィルム層２２０との記載は省略している。
【００１８】
共通電極層２０１は、第１フィルム層２０２と第１フィルム層２０１上に配置された共通電極２０４とを有する。
【００１９】
第１フィルム層２０２は、透明な材料により形成された絶縁性を有するフィルムである。第１フィルム層２０２の材料としては、透明性を有する材料であれば特に限定されることはない。例えば、ポリプロピレン、ポリエチレン、ポリ塩化ビニル、ポリスチレン、ポリビニルアルコール、ポリイミド、ポリエチレンナフタレート、ポリエチレンテレフタラート、ポリカーボネート、ポリエーテルイミド、シクロオレフィンコポリマー、エポキシ樹脂、シリコーン樹脂、フェノール樹脂を使用することができる。
【００２０】
共通電極２０４は、透明電極である。共通電極２０４の材料としては、例えば、ＩＴＯ、ＩＺＯ、ＳｎＯ２、カーボンナノチューブ、ＰＥＤＯＴ／ＰＳＳやＺｎＯ：Ａｌなどの透明な導電性材料を使用することができる。また、透明なフィルムに、Ａｌ、Ｃｕ、Ａｇ、カーボン等の導電性材料を用いてメッシュ状に電極が共通電極層２０４に形成されていてもよい。共通電極２０４には、電圧印加部１０３から０Ｖ及び２００Ｖ以下の任意の電圧が印加される。ここで、２００Ｖ以下の任意の電圧は、前述したとおり、４０Ｖ〜１５０Ｖの電圧であってもよく、好ましくは１５０Ｖであってもよい。
【００２１】
第２フィルム層２０６は、透明な材料により形成されたフィルムである。第２フィルム層２０６は、絶縁性を有していなくてもよいが、共通電極層２０４が導電性であるので、第２フィルム層２０６は絶縁性を有していることが好ましい。第２フィルム層２０６の材料としては、透明性を有する材料であれば特に限定されることはない。例えば、ポリプロピレン、ポリエチレン、ポリ塩化ビニル、ポリスチレン、ポリビニルアルコール、ポリイミド、ポリエチレンナフタレート、ポリエチレンテレフタラート、ポリカーボネート、ポリエーテルイミド、シクロオレフィンコポリマー、エポキシ樹脂、シリコーン樹脂、フェノール樹脂を使用することができる。また、第２フィルム層２０６は、ラミネート加工が可能なベースフィルム材料とシーラントフィルム材料が積層された基材であることが好ましい。ベースフィルム材料としては、ラミネート加工時の加熱圧着による耐熱性を考慮して、ポリイミド、ポリエチレンナフタレート、ポリエチレンテレフタラート、ポリカーボネート、ポリエーテルイミド、エポキシ樹脂、シリコーン樹脂、フェノール樹脂を使用してもよい。シーラントフィルム材料としては、無延伸ポリプロピレンフィルム、二軸延伸ポリプロピレンフィルムを使用してもよい。また、ポリウレタン、ポリアクリル、エポキシ樹脂、シリコーン等の熱シール性を有する材料からなる塗膜等を用いてもよい。
【００２２】
ツイストボール層２０８は、低極性溶媒２０９と複数のツイストボール２１０とを含むエラストマーシートとして形成される。具体的には、エラストマー材料を用いて形成されるエラストマーシートに、複数のツイストボール２１０を分散させた後、エラストマーシートを低極性溶媒中に浸漬させてエラストマーシートを低極性溶媒で膨潤させて形成する。これにより、ツイストボール２１０が低極性溶媒２０９により覆われ、ツイストボール２１０が回転可能となる。
【００２３】
エラストマー材料としては、熱硬化型樹脂を挙げることができ、例えば、シリコーン樹脂、微架橋したアクリル樹脂、微架橋したスチレン樹脂、ポリオレフィン樹脂などを使用することができる。低極性溶媒は、エラストマーシートに膨潤されて使用される。このような低極性溶媒として、例えば、ジメチルシリコーンオイル、イソパラフィン系溶媒、直鎖パラフィン系溶媒、ドデカン、トリデカンなどを使用することができる。
【００２４】
ツイストボール２１０は、１０μｍ以上１０００μｍ以下、好ましくは５０μｍ以上１５０μｍ以下の直径を有する略球体である。ツイストボール２１０は、また、異なる少なくとも２色に着色された少なくとも２つの着色領域を有し、異なる着色領域が異なる帯電極性を有する双極性球状粒子である。例えば、正（＋）に帯電した黒色相と負（−）に帯電した白色相とを有する。但し、色相は上述の黒色／白色に限定されず、例えば、有色彩相／白色相（例えば、黒色／白色、赤色／白色など）或いは有色彩相／有色彩相（例えば、黒色／赤色、青色／赤色など）であってもよい。
【００２５】
ツイストボール２１０の色相を形成させる着色剤としては、後述する重合性樹脂成分を含有する流動性分散媒体に不溶性又は均一に分散される染料又は顔料であれば、特に限定されず、適宜選択して使用することができる。使用される着色剤の添加量は、その着色粒子の用途等によっても所望される色調が異なり、また、後述する着色連続相中での分散性等から、本発明においては、着色連続相中の重合硬化成分である全重合性樹脂成分１００重量部当たり、０．１重量部〜８０重量部で、好ましくは２〜１０重量部の範囲で適宜好適に添加することができる。
【００２６】
ツイストボール２１０は、例えば、マイクロチャンネル製造方法において製造することができる。すなわち、重合性樹脂成分を含有する油性又は水性の流動性分散媒体中に、この媒体不溶性の着色剤を含有する２色に分相させた着色連続相中の重合性樹脂成分を異なる極性に帯電する重合性モノマーで形成させて、第１マイクロチャンネルに移送させる。次いで、この着色連続相を、第２マイクロチャンネル内を流れる水性又は油性の球状粒子化相中に、連続又は不連続的に順次吐出させる。球状粒子化相中に吐出された吐出物は、マイクロチャンネル内での一連の吐出・分散・移送中に球状粒子化されながら、球状粒子化相中で順次球状化される。この球状化された粒子中の重合性樹脂成分を紫外線照射下及び／又は加熱下で重合硬化させることにより、異なる２色に着色された２つの着色領域を有し、異なる着色領域が異なる帯電極性を有する双極性２色相球状粒子であるツイストボール２１０が形成される。
【００２７】
本発明のツイストボール２１０に用いる重合性樹脂成分、又は重合性モノマーとして、重合性モノマーの官能基又は置換基の種類によって、ツイストボール２１０の帯電性がそれぞれ負（−）帯電性と正（＋）帯電性とを示す傾向にあるモノマー種を挙げることができる。従って、少なくとも２種以上の複数種のモノマーを本発明のツイストボール２１０の重合性樹脂成分として使用する場合には、その（＋）及び（−）帯電性を示す傾向を踏まえて、好ましくは、同種帯電性の傾向にあるモノマー同士を複数組み合わせて適宜好適に使用することができる。
【００２８】
図４（ａ）〜（ｃ）は、ツイストボール２１０の回転を説明する図である。図４において、図２及び図３を参照して説明した表示部１０１の構成と同一又は類似の構成には同一の参照番号を付与する。図４において、共通電極２０４側を視認側とする。尚、ここでは、出力電圧が２値レベル（Ｈレベル又はＬレベル）の駆動ＩＣを用いて、共通電極２０４の電位をＨレベル又はＬレベルに制御し、同時に表示電極２１４の電位としてＬレベル又はＨレベルを適宜選択することによって、共通電極２０４と表示電極２１４との間に所定の電位差を発生させることで白表示又は黒表示を得る。ここでは、共通電極２０４及び表示電極２１４に０Ｖ（Ｌレベル）若しくは１５０Ｖ（Ｈレベル）を印加するものとして、ツイストボール２１０の動作を説明する。ツイストボール２１０の少なくとも２つの着色領域は、異なる正負の帯電状態であれば、どちらの帯電状態であってもよい。
【００２９】
ツイストボール２１０は、正（＋）に帯電した黒色相２１０ａと負（−）に帯電した白色相２１０ｂとを有する。但し、色相は上述の黒色／白色に限定されない。ツイストボール２１０の２つの着色領域は、互いに異なる正負の帯電状態であれば、どちらの帯電状態であってもよい。ツイストボール２１０が、正（＋）に帯電した黒色相２１０ａと負（−）に帯電した白色相２１０ｂとを有する場合、ツイストボール２０８層を挟持する共通電極２０４及び表示電極２１４に電圧が印加されると、これにより発生する電位差により、ツイストボール２１０の正（＋）に帯電した黒色相２１０ａと負（−）に帯電した白色相２１０ｂとが、それぞれの帯電極性とは逆の極性の電圧を印加された電極と対向するようにツイストボール２１０が回転する。
【００３０】
図４（ａ）〜（ｃ）に示すように、共通電極２０４側から観察したとき、共通電極２０４に１５０Ｖ（Ｈレベル）が印加されている状態で、表示電極２１４に０Ｖ（Ｌレベル）が印加されていると、図４（ａ）に示すように、ツイストボール２１０の白色相２１０ｂが共通電極２０４と対向して表示部１０１に「白」が表示されている状態となる。図４（ｂ）に示すように、共通電極２０４に０Ｖ（Ｌレベル）が印加されている状態で表示電極２１４に１５０Ｖ（Ｈレベル）が印加されると、ツイストボール２１０の黒色相２１０ａが共通電極２０４と対向して「黒」が表示されている状態となる。即ち、表示部１０１の表示が白の表示から黒の表示に書き換わる。さらに、図４（ｃ）に示すように、共通電極２０４に１５０Ｖ（Ｈレベル）が印加されている状態で、表示電極２１４に０Ｖ（Ｌレベル）が印加されると、ツイストボール２１０の白色相２１０ｂが共通電極２０４と対向して「白」が表示されている状態となる。即ち、表示部１０１の表示が黒の表示から白の表示に書き換わる。
【００３１】
第３フィルム層２１２は、透明な材料により形成されたフィルムであり、第２フィルム層２０６と同様の材料により形成される。ただし、表示部１０１において、第３フィルム層２１２の材料と第２フィルム層２０６の材料は同じである必要はない。
【００３２】
図３に示すように、ツイストボール層２０８は、第２フィルム層２０６と第３フィルム層２１２との間に挟持されて、第２フィルム層２０６と第３フィルム層２１２とをラミネート加工することによって密封されてもよい。また、第２フィルム層２０６及び第３フィルム層２１２とツイストボール層２０８とのそれぞれの間に、エポキシ樹脂などの熱硬化樹脂を使用したシール材を介して、ツイストボール層２０８を第２フィルム層２０６及び第３フィルム層２１２で挟持してもよい。
【００３３】
表示電極層２１３は、絶縁層２１６と絶縁層２１６上に配置された表示電極２１４を有する。表示電極２１４は、図３に示す表示電極２１４ａ及び２１４ｂのように、表示部１０１において所望の表示をするために、所望の形状にパターニングされてもよい。
【００３４】
絶縁層２１６は、絶縁性を有するフィルムであり、例えば、ポリプロピレン、ポリエチレン、ポリ塩化ビニル、ポリビニルアルコール、ポリイミド、ポリエチレンテレフタラート、ポリエチレンナフタレート、ポリスチレン、ポリカーボネート、ポリエーテルイミド、シクロオレフィンコポリマー、エポキシ樹脂、ポリイミド樹脂、フェノール樹脂、シリコーン樹脂などの絶縁性樹脂が使用されてもよい。絶縁性樹脂は単体で使用されてもよく、２種類以上に樹脂を組み合わせて使用してもよい。絶縁層２１６には、表示電極２１４と後述する配線層２１８とを電気的に接続する貫通電極（図示せず）が形成される。
【００３５】
表示電極２１４は、インクジェット法、スクリーン印刷法、グラビア印刷法、凸印刷法その他印刷法により、絶縁層２１６の上に、Ａｕ、Ａｌ、Ｎｉ、Ｃｕなどの金属、ＩＴＯ、ＩＺＯ、ＳｎＯ２、ＺｎＯ：Ａｌなどの透明導電体、導電剤を溶媒或いは合成樹脂バインダに混合したもの等の導電性材料を配置して形成される。
【００３６】
この表示電極２１４には、後述の配線を介して、電圧印加部１０３により出力される電圧が印加される。これにより、表示電極２１４と共通電極２０４との間に電位差が発生し、方向２２２から見た場合に、表示電極２１４の部分が画像表示領域として見ることが可能となる。したがって、図３に示す表示電極２１４ａ及び２１４ｂの下の領域が表示領域（セグメント）となる。
【００３７】
配線層２１８は、絶縁性の樹脂材料などのフィルムに設けられた貫通電極（図示せず）を介して表示電極２１４と接続する配線（図示せず）が形成されたフィルムである。絶縁性の樹脂材料としては、上述した樹脂材料等を用いることができる。
【００３８】
第４フィルム層２２０は、絶縁性の樹脂材料などにより形成される。絶縁性の樹脂材料としては、上述した樹脂材料等を用いることができる。
【００３９】
尚、方向２２２から見た場合に、表示電極２１４以外の部分の色がツイストボール２１０の色相の一つと同等となるように、共通電極２０４にさらにマスク層を設けたり、表示電極層２１３の表示電極２１４以外の部分に、共通電極２０４との間で一定の電圧が印加されるように、背景電極（図示せず）が設けられてもよい。
【００４０】
図５は、ツイストボールを表示媒体とする画像表示装置１００をセグメント駆動型の１分時計として実装した場合の表示部１０４の表示電極２１４の一例の配置図である。図５に示すように、ツイストボールを表示媒体とする画像表示装置１００をセグメント駆動型の１分時計として実装した場合、表示部には、例えば、１分桁〜１０時間桁を示す表示電極が配置されている。ここでは、１分桁〜１０時間桁の各桁において、黒色の合計７つの領域に矩形の表示電極が、全体として「８」字形を成して配置され、表示電極の領域以外の領域は白色の背景となっている。表示電極以外の領域には背景電極が配置されていてもよい。電圧印加制御部１０２により、各桁の表示電極及び／又は背景電極への電圧の印加を制御することによって、０から９の数字を表示することが可能となる。図５ではタイマーの各表示桁を７つの領域に分けて表示を行う７セグメントディスプレイとしたが、各表示桁は７つの領域とは限らず、１５個などの任意の数の領域から構成されていてもよい。また、図５では、各桁を表す表示領域（以下、画素ともいう）を黒色、背景を白色としたが、これに限定されない。
【００４１】
図５に示した時計表示においては、１分桁の表示の表示期間を１つの単位時間とする。即ち、１分桁は１分ごとに表示が変化し得るので、１分桁の表示を行う単位時間は１分となる。同様に、１０分桁の表示は単位時間の１０倍である１０分、１時間桁の表示は単位時間の６０倍である１時間、１０時間桁の表示は単位時間の６００倍である１０時間ごとに表示が変化する。
【００４２】
一般的なツイストボールを表示媒体とする画像表示装置では、表示を書き換える期間（以下、書き込み期間という）と表示を保持する期間（以下、保持期間という）とに応じて電圧の印加を行なう。保持期間とは、表示部の表示を保持する所定の期間である。一般的に、所定の保持期間を超えて表示が連続して保持される場合は、保持される期間の間、保持期間が連続して繰り返される。即ち、所定の保持期間を超えて表示が連続して保持される場合、その表示が保持される期間は、所定の単位時間の整数倍となる。書き込み期間とは、保持期間の直前の所定の期間であり、表示部に表示を書き込むための所定の電圧が共通電極と表示電極とに印加される。ここで、セグメント型１分時計の場合、表示部の１分桁の単位時間は、１分桁の表示の期間、即ち１分である。単位時間のうち、書き込み期間には、共通電極と表示電極との間に所定の大きさの電位差が生じるように共通電極と表示電極とに電圧を印加し、残りの保持期間には、各電極に電圧を印加せずにツイストボールのメモリー性に依存してその表示を維持している。
【００４３】
しかしながら、前述したように、メモリー性を利用して１分時計などの多画素の表示を多チャンネルのドライバICを用いて行う場合、直前の表示状態の履歴効果により、書き込み時における１回のパルスの印加のみでは良好な表示書き換えができず、残像が生じるという問題がある。また、表示を保持する画素にパルスを印加しない状態に保持した場合、メモリー性の経時変化により、１分程度の短時間でも表示色が変化してしまうという問題がある。
【００４４】
本願発明者は、前述した問題の発生を抑制するために検討を進めた結果、書き込み期間においては、表示部の共通電極と表示電極との間に１回のパルスの印加ではなく、双極パルス、即ち正極性（＋）のパルス及び負極性（−）のパルスと無電位差状態との組み合わせを印加することに想到し、表示の書き換え時に残像を防止できることを確認した。また、表示の書き換えを行う画素だけでなく、表示部における全ての画素の表示を単位時間ごとに同時に双極パルスと無電位差状態との組み合わせを印加して書き換えることに想到し、メモリー性が向上することを確認した。以下、本願発明者が想到した本願発明について説明する。尚、以下、「共通電極と表示電極との間にパルスを印加する」ことは「共通電極と表示電極とに所定の電圧を印加して共通電極と表示電極との間に電位差を生じさせる」ことを意味するものとする。
【００４５】
本発明の画像表示装置１００においては、メモリー性を利用して１分時計などの多画素の表示を多チャンネルのドライバICを用いて行う場合、１分桁の単位時間における書き込み期間において、双極パルス、即ち正極性（＋）のパルス及び負極性（−）のパルスと無電位差状態との組み合わせを表示部における全ての画素に対応する共通電極と表示電極との間に印加する。
【００４６】
図６及び図７は、本発明の画像表示装置１００を図５に示したようなセグメント駆動型の１分時計として実装し、２値のドライバICを用いて駆動した場合における、共通電極２０４と表示電極２１４との間に印加したパルスの波形の一例を示す。尚、ここで、ツイストボールは、黒色で正（＋）に帯電した黒色相および白色で負（−）に帯電した白色相を有するものとする。
【００４７】
図６（ａ）は、所定の単位時間において所定の表示を保持した後の次の単位時間における書き込み期間において、黒書き込みを行う画素に対応する共通電極２０４と表示電極２１４との間に印加されるパルス波形を示し、図６（ｂ）は、図６（ａ）に示した書き込み期間と同じ期間において、白書き込みを行う画素に対応する共通電極２０４と表示電極２１４との間に印加されるパルス波形を示している。共通電極２０４と表示電極２１４との間に印加されるパルスは、ツイストボールの応答時間よりも長いパルス幅を有することが好ましい。各パルス幅は、２００ｍｓ以上１０００ｍｓ未満であってもよく、好ましくは５００ｍｓ程度であってもよい。
【００４８】
図６（ａ）に示すように、書き込み期間（ｔ１＋ｔ２＋ｔ３）の構成単位時間ｔ１（以下、「書き込み期間ｔ１」という）において、黒書き込みを行う画素について、先ず、共通電極２０４にＨレベル（例えば、１５０Ｖ）の電圧を印加し、且つ表示電極２１４にＬレベル（例えば、０Ｖ）の電圧を印加することにより、共通電極２０４と表示電極２１４との間に正極性（＋）を有する第１のパルスを印加して白書き込みを行う。次に、書き込み期間（ｔ１＋ｔ２＋ｔ３）の構成単位時間ｔ２（以下、「書き込み期間ｔ２」という）において、共通電極２０４にＬレベルの電圧を印加し、且つ表示電極２１４にＨレベルの電圧を印加することにより、共通電極２０４と表示電極２１４との間に負極性（−）を有する第２のパルスを印加して黒書き込みを行う。最後に、書き込み期間（ｔ１＋ｔ２＋ｔ３）の構成単位時間ｔ３（以下、「書き込み期間ｔ３」という）において、共通電極２０４と表示電極２１４との間が無電位差の状態になるように共通電極２０４と表示電極２１４とに適切な電圧を印加し、その後は、共通電極２０４と表示電極２１４とに電圧を印加せず、メモリー性によって黒表示を単位時間の終了まで保持する。共通電極２０４と表示電極２１４との間を無電位差状態にするためには、共通電極２０４、表示電極２１４の両方にＬレベルの電圧、又はＨレベルの電圧を印加すればよい。なお、書き込み期間ｔ１、ｔ２、ｔ３は互いに同値であることが好ましいが、異なっていてもよい。
【００４９】
また、白書き込みを行う画素については、図６（ｂ）に示すように、所定の単位時間において所定の表示を保持した後の次の単位時間における書き込み期間ｔ１において、先ず、共通電極２０４と表示電極２１４との間が無電位差の状態になるように共通電極２０４と表示電極２１４とに適切な電圧を印加する。次に、書き込み期間ｔ２において、共通電極２０４にＬレベルの電圧を印加し、且つ表示電極２１４にＨレベルの電圧を印加することにより、共通電極２０４と表示電極２１４との間に負極性（−）を有する第３のパルスを印加して黒書き込みを行う。ここで、第３のパルスは、図６（ａ）に示した前記第２のパルスと同一の大きさ及び同一のパルス幅を有してもよく、異なる大きさ又は異なるパルス幅を有してもよい。最後に、書き込み期間ｔ３において、共通電極２０４にＨレベルの電圧を印加し、且つ表示電極２１４にＬレベルの電圧を印加することにより、共通電極２０４と表示電極２１４との間に正極性（＋）を有する第４のパルスを印加して白書き込みを行い、その後、メモリー性によって白表示を単位時間の終了まで保持する。ここで、第４のパルスは、図６（ａ）に示した前記第１のパルスと同一の大きさ及び同一のパルス幅を有してもよく、異なる大きさ又は異なるパルス幅を有してもよい。
【００５０】
図７（ａ）、（ｂ）は、所定の単位時間において所定の表示を保持した後の次の単位時間における書き込み期間において、黒書き込み又は白書き込みを行う画素に対応する共通電極２０４と表示電極２１４との間に印加されるパルス波形を示す別の例を示す。各パルス幅は、前述したように、２００ｍｓ以上１０００ｍｓ未満であってもよく、好ましくは５００ｍｓ程度であってもよい。
【００５１】
図７（ａ）に示すように、書き込み期間ｔ１において、黒書き込みを行う画素について、先ず、共通電極２０４と表示電極２１４との間が無電位差の状態になるように共通電極２０４と表示電極２１４とに適切な電圧を印加する。次に、書き込み期間ｔ２において、共通電極２０４にＨレベル（例えば、１５０Ｖ）の電圧を印加し、且つ表示電極２１４にＬレベル（例えば、０Ｖ）の電圧を印加することにより、共通電極２０４と表示電極２１４との間に正極性（＋）を有する第１のパルスを印加して白書き込みを行う。最後に、書き込み期間ｔ３において、共通電極２０４にＬレベルの電圧を印加し、且つ表示電極２１４にＨレベルの電圧を印加することにより、共通電極２０４と表示電極２１４との間に負極性（−）を有する第２のパルスを印加して黒書き込みを行い、その後、メモリー性によって黒表示を単位時間の終了まで保持する。
【００５２】
また、白書き込みを行う画素については、図７（ｂ）に示すように、所定の単位時間において所定の表示を保持した後の次の単位時間における書き込み期間ｔ１において、先ず、共通電極２０４にＬレベルの電圧を印加し、且つ表示電極２１４にＨレベルの電圧を印加することにより、共通電極２０４と表示電極２１４との間に負極性（−）を有する第３のパルスを印加して黒書き込みを行う。ここで、第３のパルスは、図７（ａ）に示した前記第２のパルスと同一の大きさ、同一のパルス幅を有してもよく、異なる大きさ、異なるパルス幅を有してもよい。次に、書き込み期間ｔ２において、共通電極２０４にＨレベルの電圧を印加し、且つ表示電極２１４にＬレベルの電圧を印加することにより、共通電極２０４と表示電極２１４との間に正極性（＋）を有する第４のパルスを印加して白書き込みを行う。ここで、第４のパルスは、図７（ａ）に示した前記第１のパルスと同一の大きさ、同一のパルス幅を有してもよく、異なる大きさ、異なるパルス幅を有してもよい。最後に、書き込み期間ｔ３において、共通電極２０４と表示電極２１４との間が無電位差の状態になるように共通電極２０４と表示電極２１４とに適切な電圧を印加し、その後、メモリー性によって白表示を単位時間の終了まで保持する。
【００５３】
本発明の画像表示装置１００において、図６及び図７に示したような黒書き込み及び白書き込みによる表示の書き換えは、セグメント駆動型の１分時計の１分桁の単位時間ごとに表示部１０４の全画素に対して同時に行う。即ち、表示の書き換えが行われる画素に限らず、所定の単位時間と次の単位時間とにおいて表示が変わらない画素を含む全ての画素について、１分桁を表す画素の表示の書き換えとともに同時に表示の書き換えが行われる。
【００５４】
以下、本発明の画像表示装置１００をセグメント駆動型の１分時計に実装した際における時間表示の切り換えについて具体的に説明する。
【００５５】
図８は、本発明の画像表示装置１００を１５セグメント駆動型の１分時計として実装した際の時計表示写真を示す。図９は、図８に示した時計表示に対応する各画素の表示色を示す。画像表示装置１００の表示部１０４は、１分桁を表示する画素Ｍ１〜Ｍ１５、１０分桁を表示する画素Ｍ１６〜Ｍ３０、１時間桁を表示する画素Ｈ１〜Ｈ１５、１０時間桁を表示する画素Ｈ１６〜Ｈ３０、及び背景Ｂを含む。図８及び図９では、１５セグメント駆動型の１分時計において、各桁の表示を表す画素を黒色、背景を白色としたが、本発明はこれに限定されない。また、ここでは、所定の単位時間において所定の表示を保持した後の次の単位時間における書き込み期間において、黒書き込みを行う画素及び白書き込みを行う画素に対応する共通電極２０４と表示電極２１４との間に、図６（ａ）、（ｂ）に示したパルスを印加した。しかし、本発明はこれに限定されず、黒書き込みを行う画素又は白書き込みを行う画素に対応する共通電極２０４と表示電極２１４との間に、図７（ａ）、（ｂ）に示したパルスを印加してもよい。また、ここでは、共通電極２０４と表示電極２１４以外の領域に設けられた背景電極との間にも背景Ｂが白色を表示するようにパルスが印加される。
【００５６】
図８及び図９においては、１５セグメント駆動型の１分時計として実装された画像表示装置１００が１３：５３を表示した後、１３：５４を表示している。画像表示装置１００において、１３：５３から１３：５４に時間表示が切り換わる際、表示色が変更されるのは、１分桁を表示する画素Ｓ７、Ｓ９、Ｓ１０のみであり、いずれも黒色から白色に表示色が切り換わる。
【００５７】
図８に示すように、以前の単位時間の保持期間ｔｓの直後の次の単位時間における書き込み期間ｔ１において、先ず、黒書き込みを行う画素について、共通電極２０４にＨレベル（例えば、１５０Ｖ）の電圧を印加し、且つ表示電極２１４にＬレベル（例えば、０Ｖ）の電圧を印加することにより、共通電極２０４と表示電極２１４との間に正極性（＋）を有する第１のパルスを印加して白書き込みを行う。同時に、白書き込みを行う画素及び背景Ｂについて、共通電極２０４と表示電極２１４との間及び共通電極２０４と背景電極との間が無電位差の状態になるように共通電極２０４と表示電極２１４及び背景電極とに適切な電圧を印加する。したがって、図９に示すように、１３：５４を表示する次の単位期間において黒色を表示する画素Ｍ１〜Ｍ６、Ｍ８、Ｍ１２〜Ｍ１６、Ｍ１９〜Ｍ２５、Ｍ２７〜Ｍ３０、Ｈ１〜Ｈ９、Ｈ１０、Ｈ１２、Ｈ１５〜Ｈ２１には白書き込みが行われ、１３：５４を表示する次の単位期間において白色を表示する残りの画素Ｍ７、Ｍ９〜Ｍ１１、Ｍ１７〜Ｍ１８、Ｍ２６、Ｈ１１、Ｈ１３〜Ｈ１４、Ｈ２２〜Ｈ３０及び背景Ｂは、共通電極２０４と表示電極２１４との間、及び共通電極２０４と背景電極との間が無電位差の状態になるため、以前の単位時間の保持期間ｔｓにおける表示色と同一の表示色のままである。
【００５８】
次に、書き込み期間ｔ１の直後の書き込み期間ｔ２において、黒書き込みを行う画素について、共通電極２０４にＬレベルの電圧を印加し、且つ表示電極２１４にＨレベルの電圧を印加することにより、共通電極２０４と表示電極２１４との間に負極性（−）を有する第２のパルスを印加して黒書き込みを行う。同時に、白書き込みを行う画素及び背景Ｂについて、共通電極２０４にＬレベルの電圧を印加し、且つ表示電極２１４及び背景電極にＨレベルの電圧を印加することにより、共通電極２０４と表示電極２１４との間及び共通電極２０４と背景電極との間に負極性（−）を有する第３のパルスを印加して黒書き込みを行う。即ち、画像表示装置１００の表示部１０４における全ての画素Ｍ１〜Ｍ３０、Ｈ１〜Ｈ３０、及び背景Ｂに黒書き込みを行う。したがって、図８及び図９に示すように、書き込み期間ｔ２において、画像表示装置１００の表示部１０４は、全画素及び背景Ｂともに黒色が表示される。ここで、第２のパルスと第３のパルスとは、同一の大きさ、同一のパルス幅を有してもよく、異なる大きさ、異なるパルス幅を有してもよい。
【００５９】
最後に、書き込み期間ｔ２の直後の書き込み期間ｔ３において、黒書き込みを行う画素について、共通電極２０４と表示電極２１４との間が無電位差の状態になるように共通電極２０４と表示電極２１４とに適切な電圧を印加する。同時に、白書き込みを行う画素及び背景Ｂについて、共通電極２０４にＨレベルの電圧を印加し、且つ表示電極２１４及び背景電極にＬレベルの電圧を印加することにより、共通電極２０４と表示電極２１４との間及び共通電極２０４と背景電極との間に正極性（＋）を有する第４のパルスを印加して白書き込みを行う。したがって、図９に示すように、黒色を表示する画素Ｍ１〜Ｍ６、Ｍ８、Ｍ１２〜Ｍ１６、Ｍ１９〜Ｍ２５、Ｍ２７〜Ｍ３０、Ｈ１〜Ｈ１０、Ｈ１２、Ｈ１５〜Ｈ２１は、共通電極２０４と表示電極２１４との間が無電位差の状態になるため、直前の書きこみ期間ｔ２における表示色と同一の表示色のまま、即ち黒色表示のままであり、白色を表示する画素Ｍ７、Ｍ９、Ｍ１０〜Ｍ１１、Ｍ１７〜Ｍ１８、Ｍ２６、Ｈ１１、Ｈ１３〜Ｈ１４、Ｈ２２〜Ｈ３０及び背景Ｂには白書き込みが行われる。書き込み期間ｔ３の後、表示部１０４の全画素Ｍ１〜Ｍ３０、Ｈ１〜Ｈ３０及び背景Ｂは、ツイストボールのメモリー性によって書き込み期間ｔ３における表示を単位時間の終了まで保持する。ここで、第４のパルスは、書き込み期間ｔ１において、黒書き込みを行う画素に印加された第１のパルスと同一の大きさ、同一のパルス幅を有してもよく、異なる大きさ、異なるパルス幅を有してもよい。
【００６０】
本発明の画像表示装置１００において、メモリー性を利用して１分時計などの多画素の表示を多チャンネルのドライバICを用いて行う場合、１分桁の単位時間における書き込み期間において、双極パルス、即ち正極性（＋）のパルス及び負極性（−）のパルスと無電位差状態との組み合わせを表示部における全ての画素に対応する共通電極と表示電極との間に印加する。表示の書き換えのための書き込み期間において、１回のパルスの印加ではなく、互いに極性の異なる双極パルスを印加することにより、残像を防止することができる。また、双極パルスをそれぞれ連続して印加するため、画像表示装置１００の層界面等に蓄積された電荷量を低減することができ、このため当該電荷とツイストボールとの相互作用が低減することから、表示の保持状態におけるツイストボールの回転が抑制されるという効果がある。さらに、図６（ａ）、（ｂ）及び図７（ａ）、（ｂ）から明らかなように、電位差が０となる期間が、一方の表示色を表示する画素と他方の表示色を表示する画素とで互いに異なるため、例えば、一方の表示色を表示する画素に対応する共通電極２０４と表示電極２１４との間にいずれかのパルスが印加されるときに、他方の表示色を表示する画素に対応する共通電極２０４と表示電極２１４との間の電位差が０となる期間があるため、画像表示装置１００の層界面等に余分な電荷が蓄積するのを抑制することができ、当該電荷とツイストボールとの相互作用が低減し、表示の保持状態におけるツイストボールの回転が抑制される。
【００６１】
また、書き込み期間において、背景色及び全画素の表示色を同一にする期間を設けることにより、直前までの表示のメモリー性をリセットし、表示のメモリー効果をなくして次の表示を高コントラストで表示し、且つ安定化させることができる。これは、全画素の表示色を同一にすることにより、表示のリフレッシュ効果が生じて、ツイストボールが全て同一方向に揃うためである。表示のリフレッシュ効果により、次の表示を高コントラストで表示し、且つ表示を安定化することにより、メモリー性が向上され、表示書き換えを行わない保持期間においてもメモリー性の経時変化がなく、表示色の変化がない良好な表示を実現することが可能となる。
【００６２】
また、書き込み期間（ｔ１＋ｔ２＋ｔ３）を除いた保持期間ｔｓにおいては、共通電極２０４、表示電極２１４及び背景電極には電圧が印加されず、表示のメモリー性により該表示を保持するため、画像表示装置１００における消費電流が低下して、電池の寿命を長くすることができる。図８及び図９に示したように、本発明の画像表示装置１００をセグメント駆動型の１分時計として実装した場合、電池の持ちが長い時計を提供することができ、省エネに資することができる。尚、ここでは、本発明の画像表示装置１００をセグメント駆動型の１分時計として実装した場合を説明したが、本発明はこれに限定されない。
【００６３】
尚、ここでは、黒書き込みを行う画素及び白書き込みを行う画素に対応する共通電極２０４と表示電極２１４との間に、図６（ａ）、（ｂ）に示したパルスを印加した場合を説明したが、本発明はこれに限定されず、黒書き込みを行う画素又は白書き込みを行う画素に対応する共通電極２０４と表示電極２１４との間に、図７（ａ）、（ｂ）に示したパルスを印加してもよい。黒書き込みを行う画素及び白書き込みを行う画素に対応する共通電極２０４と表示電極２１４との間に、図７（ａ）、（ｂ）に示したパルスを印加した場合、書き込み期間ｔ２において、画像表示装置１００の表示部１０４は、全画素及び背景ともに白色が表示される。黒書き込みを行う画素及び白書き込みを行う画素に対応する共通電極２０４と表示電極２１４との間に、図７（ａ）、（ｂ）に示したパルスを印加した場合も、図６（ａ）、（ｂ）に示したパルスを印加した場合と同様な効果を得ることができる。
【００６４】
また、書き込み期間ごとに背景色とセグメントの表示色とを反転させてもよい。例えば、図８及び図９に示した１５セグメントの時計表示では、背景色を例にとると、最初の保持期間ｔｓ及び書き込み期間ｔ１の背景色が白、書き込み期間ｔ２の背景色が黒色、書き込み期間ｔ３及び最後の保持期間ｔｓの背景色が白色となっている。一方、書き込み期間ごとに背景色とセグメントの表示色との反転を行う場合、最初の保持期間ｔｓ、書き込み期間ｔ１及び書き込み期間ｔ２の背景色が白色、書き込み期間ｔ３及び最後の保持期間ｔｓの背景色が黒色となる。セグメントの表示色は最初の保持期間ｔｓにおいては黒色であり、書き込み期間ｔ３及び最後の保持期間ｔｓにおいては白色となる。
【００６５】
書き込み期間ごとに背景色及びセグメントの表示色を直前の表示における背景色及びセグメントの表示色から反転させることにより、メモリー性を補い、且つ直前の表示状態の履歴効果を抑制することが可能となる。直前の表示状態の履歴効果を抑制することによって、書き換え不足による表示の視認性の悪化を抑制すると同時に、セグメントの表示色の経時変化をより一層少なくすることが可能となり、表示の視認性を高めることができる。
【００６６】
（実施例）
本願発明者は、正と負に帯電した黒色と白色の２色に着色された球状の２色粒子が分散されたツイストボール層を作成した。ツイストボール層は、ツイストボールとして黒色で正（＋）に帯電した黒色相および白色で負（−）に帯電した白色相を有し、粒子径が約１００μｍとなるものを複数個準備し、これらのツイストボールを、熱硬化型シリコーン樹脂中に分散し、コーターにより、ガラス基板上に塗布して熱処理し、さらにシリコーンオイル中に２４時間浸漬し、膨潤させることにより作成された。本願発明者は、一方が一様な透明電極が形成されたＰＥＴフィルムと、他方が７セグメントの表示電極にパターニングしたアルミ蒸着電極が形成されたＰＥＴフィルムとを準備し、透明電極が形成されたＰＥＴフィルムとアルミ蒸着電極が形成されたＰＥＴフィルムとの間に前記ツイストボール層を挟持することによりツイストボールシートを作成した。作成されたツイストボールシートに、電源、マイコン、昇圧回路、ドライバＩＣから構成される制御部により、透明電極―表示電極間にツイストボールの応答時間２００ｍｓよりも長い時間直流電圧（８０Ｖ）を印加して一定の表示色（例えば黒色）にリセットした。次に、１分時計表示を行った。少なくとも時計の分桁を書き換えるため、１分間に１度の書き込み期間において、透明電極と表示電極とに１５０Ｖ（Ｈレベル）又は０Ｖ（Ｌレベル）の電圧をパルス幅５００ｍｓで選択的に印加することにより、図６（ａ）、（ｂ）に示した第１のパルス、第２のパルス、第３のパルス及び第４のパルスを透明電極―表示電極間に印加したところ、表示書き換えを行わない、透明電極―表示電極間にパルスを印加せずに表示を保持する保持期間であっても、ツイストボールの表示双安定性に由来して表示のメモリー性が得られ、時計の１分桁、１０分桁、１時間桁、１０時間桁等の表示領域の表示を良好に行うことができた。その結果、コントラストが８程度の良好な表示が得られ、保持期間においてもコントラストはほとんど変化しなかった。したがって、保持期間においてもコントラストの低下のない良好な表示が得られた。
【００６７】
以上に述べたように、ツイストボールを用いた画像表示装置において、ドライバICを用いて１分時計などの多画素の表示を行う場合、表示の書き換えのための書き込み期間において、双極パルス、即ち正極性（＋）のパルス及び負極性（−）のパルスと無電位差状態との組み合わせを全ての画素に対応する共通電極と表示電極との間に印加することにより、表示の書き換え時における残像を防止することができる。また、書き込み期間において、全画素の表示色を同一にする期間を設けることにより、直前までの表示の状態をリセットし、表示の履歴効果をなくして次の表示を安定化させることができる。表示が安定化することにより、メモリー性が向上され、表示書き換えを行わない保持期間においてもメモリー性の経時変化がなく、表示色の変化がない良好な表示を実現することが可能となる。
【００６８】
本発明の画像表示装置１００は、ツイストボールを表示媒体として用いて、メモリー性を利用することにより、書き込み期間に書き換えられた表示を保持する保持期間においては、表示部１０４の共通電極２０４、表示電極２１４及び背景電極（図示せず）に電圧を印加する必要が無いため、消費電力を削減することができる。本発明の画像表示装置１００の電源としては、電池を用いてもよい。電池は複数個使用されてもよく、直列又は並列に接続されて使用されてもよい。並列に接続された電池を電源として用いる場合、画像表示装置１００の長時間駆動が可能である。また、画像表示装置１００の周辺の光エネルギーによって励起された光起電力が画像表示装置１００の消費電力の一部又は全てに利用されてもよい。この場合、画像表示装置１００の電源としては、色素増感型太陽電池、シリコン系太陽電池などが用いられてもよい。色素増感型太陽電池、シリコン系太陽電池は、画像表示装置１００の電源として、電池と併用されてもよく、単独で用いられてもよい。色素増感型太陽電池、シリコン系太陽電池などを画像表示装置１００の電源として利用することにより、画像表示装置１００の駆動コストを低減することが可能となる。
【００６９】
特に、書き込み期間以外の保持期間においては、各表示領域の印加電圧を０とすることができるため、保持期間においては本発明の画像表示装置１００の構成部品、例えば電圧発生回路（昇圧回路等）１０１、電圧印加部（ドライバＩＣ等）１０３、電圧印加制御部（マイコン等）１０２を全て停止または低消費電流モードとすることにより、一層の低消費電力の表示が可能となることから、種々の太陽電池接続による長期間表示動作が可能となる。
【符号の説明】
【００７０】
１００  画像表示装置
１０１  電圧発生回路
１０２  電圧印加制御部
１０３  電圧印加部
１０４  表示部
２０１  共通電極層
２０６  第２フィルム層
２０８  ツイストボール層
２１０  ツイストボール
２１２  第３フィルム層
２１３  表示電極層
２１８  配線層
２２０  第４フィルム層
【図１】
2013231848.tif 000003
【図２】
2013231848.tif 000004
【図３】
2013231848.tif 000005
【図４】
2013231848.tif 000006
【図５】
2013231848.tif 000007
【図６】
2013231848.tif 000008
【図７】
2013231848.tif 000009
【図９】
2013231848.tif 000010
【図８】
2013231848.tif 000011